(57)【要約】【課題】容易、安全且つ低コストで車椅子ユーザーや視線が低いユーザーでも、容易に原稿載置台へ容易に原稿束を設置することができるようにする。【解決手段】原稿搬送部を覆う給紙カバー部材４５０と、給紙カバー部材４５０の上流側の外側に配置され原稿束Ｐが載置される原稿載置台４２０と、原稿の幅方向に移動可能であり原稿束の一側端部に接触して押圧することにより前記原稿束を前記の紙幅方向の位置を規制するサイドフェンス４１０と、を備え固定配置された画像読取手段２６に原稿を搬送する原稿搬送装置において、サイドフェンス４１０は給紙カバー部材４５０内であってピックアップローラ３の近傍に配置される共に、原稿束Ｐが原稿載置台４２０に配置されたときサイドフェンス４１０を駆動して原稿束Ｐの紙幅方向の位置を整えるサイドフェンス駆動手段５００を備える。【選択図】図２
2010037078.tif 000002
【特許請求の範囲】
【請求項１】
原稿搬送部を覆う給紙カバー部材と、
前記給紙カバー部材の上流外側に配置され原稿が載置される原稿載置台と、
前記給紙機構を構成すると共に原稿載置台に近接して配置され、前記原稿載置台に配置された原稿束から１枚の原稿を取分けるピックアップ手段と、
前記原稿載置台上に配置され、原稿の搬送方向と直交する原稿の幅方向に移動可能であり、前記原稿束の一側端部に接触して前記原稿束の紙幅方向の位置を規制するサイドフェンスと、
前記原稿載置台において配置された前記サイドフェンスと原稿束を挟んで配置される原稿位置規制部とを備え、
前記前記ピックアップ手段で備え取分けた原稿を固定配置された画像読取手段に向け搬送する原稿搬送装置において、
前記サイドフェンスは、前記給紙カバー部材内であって前記ピップアップ手段の近傍に配置される共に、
前記サイドフェンスを駆動して、前記原稿位置規制部材との間で原稿束の紙幅方向の位置を規制するサイドフェンス駆動手段を備える、
ことを特徴とする原稿搬送装置。
【請求項２】
前記サイドフェンス駆動手段は、初期状態において、前記サイドフェンスをその移動範囲において前記原稿位置規制部と最も離れた位置に移動させていることを特徴とする請求項１記載の原稿搬送装置。
【請求項３】
前記原稿載置台に原稿束が載置されたことを検出する原稿束検出手段を備え、
前記サイドフェンス駆動手段は、前記原稿束検出手段が原稿束を検出したとき、前記サイドフェンスを原稿束の紙幅方向の位置を規制するよう駆動することを特徴とする請求項１又は２記載の原稿搬送装置。
【請求項４】
前記サイドフェンス駆動手段は、外部からの操作で前記サイドフェンスを駆動することを特徴とする請求項１又は２記載の原稿搬送装置。
【請求項５】
前記サイドフェンスは、前記原稿束の一側端部が接触したことを検出する接触検知手段を備え、
前記サイドフェンス駆動手段は、前記検出手段がサイドフェンスの原稿束との接触を検出したとき、サイドフェンスの移動を停止することを特徴とする請求項３又は４記載の原稿搬送装置。
【請求項６】
前記接触検知手段は圧力検知センサ、又は、光学センサであることを特徴とする請求項５記載の原稿搬送装置。
【請求項７】
前記サイドフェンス駆動手段は、前記原稿検知手段が原稿束を検出しなくなったとき前記サイドフェンスをその移動範囲において反位置規制部材側位置に移動させることを特徴とする請求項３又は４記載の原稿搬送装置。
【請求項８】
請求項１乃至７のいずれか記載の原稿搬送装置を備えることを特徴とする画像形成装置。
【請求項９】
請求項１乃至７のいずれか記載の原稿搬送装置を備えることを特徴とする用紙後処理装置。
【請求項１０】
請求項１乃至７のいずれか記載の原稿搬送装置を備えることを特徴とする画像読取装置。
【発明の詳細な説明】
【技術分野】
【０００１】
本発明は原稿搬送装置、画像形成装置、用紙後処理装置及び画像読取装置に係り、特に原稿載置台への原稿の載置を容易に行うことができる原稿搬送装置及びこれを備えた画像形成装置、用紙後処理装置及び画像読取装置に関する。
に関するものである。
【背景技術】
【０００２】
画像形成装置として、自動原稿搬送装置（ＡＤＦ）を備えたものがある。図７は画像形成装置の概略構成を示す斜視図、図８は原稿搬送装置の構成を示す断面図である。画像形成装置２００は、自動原稿搬送装置（ＡＤＦ）１００から送り出される原稿をスタックする原稿排紙トレイ１３５、原稿を読み取る画像読取装置２２０、給紙カセット２３１、２３２、２３３、２３４を備えた給紙部２３０、画像を形成する画像形成部２２５、記録済みの用紙をスタックする排紙部２４０等を有している。
【０００３】
また、自動原稿搬送装置１００は、図７に示すように、原稿束（本明細書では、複数枚の原稿、又は、１枚の原稿を含むものとする）を載置する原稿載置台１２０と、カバー１５０内に配置され、原稿を一枚ずつ分離して原稿読取部２８まで搬送し、原稿載置台１２０上に配置された原稿束から原稿を一枚ずつ搬送する原稿搬送部が配置されている。原稿搬送部には、原稿束Ｐの前端の位置を規制するストップ爪２、原稿束の最上部から原稿を一枚ずつ取り出すピックアップローラ３、ピックアップローラ３からの原稿を搬送路に沿って搬送するリバースローラ４及び給紙ベルト５、プルアウトローラ６、プルアウト従動ローラ７、原稿を画像読取手段２６に向け搬送する読取入口ローラ８、読取入口従動ローラ９、画像読取手段２６からの原稿を反転機構あるいは原稿排紙トレイ１３５に向け搬送する読取出口ローラ１０、読取出口排紙ローラ１１、排紙ローラ１２、排紙下従動ローラ１３反転機構を構成する切替爪１５、反転ローラ１６、反転従動ローラ１７、排紙上従動ローラ１８を備える。原稿載置台１２０からピックアップローラ３で取り込まれた原稿は、各種ローラで搬送路を搬送され、画像読取手段２６によりその画像が読み取られる。尚、４０は読取入口マイラ、４１は読取ガラス、４２は読取入口ガイドを示している。
【０００４】
原稿読取部４０で画像が読み取られた原稿は、必要に応じて、経路Ａを通って原稿排紙トレイ１３５に排出されるか、経路Ｂ、経路Ｃを経由して反転され、裏面の画像が原稿読取部４０において読み取られ経路Ａを経て原稿排紙トレイ１３５に排出される。
【０００５】
尚、図中符号１９は原稿検知センサ、２０，２１，２２は原稿載置台１２０に設けられ原稿の長さを検出する原稿長検知センサ、２３は分離センサ、２４は突当センサ、２５は原稿幅センサ、２６は読取入口センサ、２７はレジストセンサ、２９は排紙センサ、３０は反転センサを示している。
【０００６】
このような、自動原稿搬送装置１００においては、原稿載置台１２０上にサイドフェンス１１０が配置されている。このサイドフェンス１１０は、原稿載置台１２０上において、原稿束Ｐの搬送方向と直角の紙幅方向（図７中矢印Ｄ）に沿って手動で移動できるように構成されている。そして、原稿束Ｐを原稿載置台１２０に配置した状態で、オペレータが前記サイドフェンス１１０を移動させて、サイドフェンス１１０で原稿束の一側端部に接触して押圧し、原稿束Ｐの他端をサイドフェンス１１０と反対側の位置規制部材１３６に接触させて原稿束Ｐを紙幅方向に揃える。
【０００７】
このような、画像形成装置２００において、図９に示すように、車椅子Ｗに乗ったオペレータＯや視線が低いオペレータが、自動原稿搬送装置１００の原稿載置台１２０に原稿束Ｐを載置するときには、図９に示すように、原稿載置台１２０を下から見上げる状態となるため、原稿載置台１２０上に配置されているサイドフェンス１１０が視界の邪魔になり原稿束をセットしにくい。また、サイドフェンス１１０が原稿束Ｐの設置の障害となるため原稿束Ｐを原稿載置台１２０の上方向から設置する必要が生じ、原稿束を設置しにくいという問題がある。
【０００８】
このような問題に対処するため、特許文献１には、原稿を積載して載置する原稿給紙部と、原稿の搬送方向と垂直な方向に原稿の動きを規制する一対の規制板と、原稿給紙部に積載された原稿を搬送する原稿搬送部と、原稿給紙部の下方に原稿を排紙する原稿排紙部を有する原稿搬送装置において、一対の規制板を透明としているものが記載されている。
【特許文献１】特開２００３−６３６６７
【発明の開示】
【発明が解決しようとする課題】
【０００９】
しかしながら、特許文献１のものは、サイドフェンスは透明ではあるものの、原稿束を設置する際の障害となり、原稿載置台に原稿束を上方から設置する必要があるという問題は解決されていない。
【００１０】
そこで、本発明は、容易、安全且つ低コストで車椅子ユーザーや視線が低いユーザーでも、容易に原稿載置台へ容易に原稿束を設置することができる原稿搬送装置、画像形成装置、用紙後処理装置及び画像読取装置を提供することを目的とする。
【課題を解決するための手段】
【００１１】
請求項１の発明は、原稿搬送部を覆う給紙カバー部材と、前記給紙カバー部材の上流外側に配置され原稿が載置される原稿載置台と、前記給紙機構を構成すると共に原稿載置台に近接して配置され、前記原稿載置台に配置された原稿束から１枚の原稿を取分けるピックアップ手段と、前記原稿載置台上に配置され、原稿の搬送方向と直交する原稿の幅方向に移動可能であり、前記原稿束の一側端部に接触して前記原稿束の紙幅方向の位置を規制するサイドフェンスと、前記原稿載置台において配置された前記サイドフェンスと原稿束を挟んで配置される原稿位置規制部とを備え、前記前記ピックアップ手段で備え取分けた原稿を固定配置された画像読取手段に向け搬送する原稿搬送装置において、前記サイドフェンスは、前記給紙カバー部材内であって前記ピップアップ手段の近傍に配置される共に、前記サイドフェンスを駆動して、前記原稿位置規制部材との間で原稿束の紙幅方向の位置を規制するサイドフェンス駆動手段を備えることを特徴とする原稿搬送装置である。
【００１２】
請求項２の発明は、請求項１記載の原稿搬送装置において、前記サイドフェンス駆動手段は、初期状態において、前記サイドフェンスをその移動範囲において前記原稿位置規制部と最も離れた位置に移動させていることを特徴とする。
【００１３】
請求項３の発明は、請求項１又は２記載の原稿搬送装置において、前記原稿載置台に原稿束が載置されたことを検出する原稿束検出手段を備え、前記サイドフェンス駆動手段は、前記原稿束検出手段が原稿束を検出したとき、前記サイドフェンスを原稿束の紙幅方向の位置を規制するよう駆動することを特徴とする。
【００１４】
請求項４の発明は、請求項１又は２記載の原稿搬送装置において、前記サイドフェンス駆動手段は、外部からの操作で前記サイドフェンスを駆動することを特徴とする。
【００１５】
請求項５の発明は、請求項３又は４記載の原稿搬送装置において、前記サイドフェンスは、前記原稿束の一側端部が接触したことを検出する接触検知手段を備え、前記サイドフェンス駆動手段は、前記検出手段がサイドフェンスの原稿束との接触を検出したとき、サイドフェンスの移動を停止することを特徴とする。
【００１６】
請求項６の発明は、請求項５記載の原稿搬送装置において、前記接触検知手段は圧力検知センサ、又は、光学センサであることを特徴とする。
【００１７】
請求項７の発明は、請求項３又は４記載の原稿搬送装置において、前記サイドフェンス駆動手段は、前記原稿検知手段が原稿束を検出しなくなったとき前記サイドフェンスをその移動範囲において反位置規制部材側位置に移動させることを特徴とする。
【００１８】
請求項８の発明は、請求項１乃至７のいずれか記載の原稿搬送装置を備えることを特徴とする画像形成装置である。
【００１９】
請求項９の発明は、請求項１乃至７のいずれか記載の原稿搬送装置を備えることを特徴とする用紙後処理装置である。
【００２０】
請求項１０の発明は、請求項１乃至７のいずれか記載の原稿搬送装置を備えることを特徴とする画像読取装置である。
【発明の効果】
【００２１】
本発明によれば、サイドフェンスが給紙カバー部材の内側に配置されているため、オペレータが装置を正面から見たとき、原稿載置台にサイドフェンス現れることがないこのため、車椅子ユーザー等の原稿束載置時における視認性が向上し、原稿束を載置しやすくなと共に、原稿束の原稿載置台への載置も上方向からではなく手前側あるいは横方向から行えるという効果がある。
【発明を実施するための最良の形態】
【００２２】
以下本発明を実施するための最良の形態としての実施例を図面に基づいて説明する。
【実施例】
【００２３】
以下実施例に係る画像形成装置を図面に基づいて説明する。以下、画像形成装置としてデジタル複写機を例として説明する。図１は実施例に係る画像形成装置を示す斜視図である。画像形成装置２００は、自動原稿搬送装置４００の構成を除き、従来例として図７に示したものと同一である。即ち、画像形成装置３００は、自動原稿搬送装置４００から送り出される原稿をスタックする原稿排紙トレイ２３５、原稿を読み取る画像読取装置２２０、給紙カセット２３１、２３２、２３３、２３４を備えた給紙部２３０、画像を形成する画像形成部２２５、記録済みの用紙をスタックする排紙部２４０等を有している。
【００２４】
次に本例に係る自動原稿搬送装置４００について説明する。本例に係る自動原稿搬送装置４００は、サイドフェンスをピックアップローラの近傍であり給紙カバー部材内側に配置し、サイドフェンスを自動的に駆動する他従来の自動原稿搬送装置と同様の構成を備える。
【００２５】
図２は実施例に係る自動原稿搬送装置の構成を示す断面図である。本例に係る自動原稿搬送装置４００は、原稿束を載置する原稿載置台４２０と、給紙カバー部材４５０内に配置され、原稿を一枚ずつ分離して原稿読取部２８まで搬送し、原稿載置台１２０上に配置された原稿束から原稿を一枚ずつ搬送する原稿搬送部が配置されている。原稿搬送部には、原稿束Ｐの前端の位置を規制するストップ爪２、原稿束の最上部から原稿を一枚ずつ取り出すピックアップローラ３、ピックアップローラ３からの原稿を搬送路に沿って搬送するリバースローラ４及び給紙ベルト５、プルアウトローラ６、プルアウト従動ローラ７、原稿を画像読取手段２６に向け搬送する読取入口ローラ８、読取入口従動ローラ９、画像読取手段２６からの原稿を反転機構あるいは原稿排紙トレイ１３５に向け搬送する読取出口ローラ１０、読取出口排紙ローラ１１、排紙ローラ１２、排紙下従動ローラ１３反転機構を構成する切替爪１５、反転ローラ１６、反転従動ローラ１７、排紙上従動ローラ１８を備える。原稿載置台４２０の原稿はピックアップローラ３によって１枚ずつ取り込まれ、搬送路を各ローラで搬送され、画像読取手段２６によってその画像が読み取られる。尚、４０は読取入口マイラ、４１は読取ガラス、４２は読取入口ガイドを示している。
【００２６】
原稿読取部４０で画像が読み取られた原稿は、必要に応じて、経路Ａを通って原稿排紙トレイ１３５に排出されるか、経路Ｂ、経路Ｃを経由して反転され、裏面の画像が原稿読取部４０において読み取られ経路Ａを経て原稿排紙トレイ１３５に排出される。
【００２７】
尚、図中符号１９は原稿束の有無を検出する原稿検知センサ、２０，２１，２２は原稿載置台１２０に設けられ原稿の長さを検出する原稿長検出センサ、２３は分離センサ、２４は突当センサ、２５は原稿幅センサ、２６は読取入口センサ、２７はレジストセンサ、２９は排紙センサ、３０は反転センサを示している。
【００２８】
本例に係る自動原稿搬送装置４００においては、給紙カバー部材４５０の内部であってピックアップローラ３に隣接してサイドフェンス４１０が配置されている。このサイドフェンス４１０は、給紙カバー部材４５０内において原稿束Ｐの搬送方向と直角の紙幅方向に沿って自動的に移動するよう構成されている。そして、本例では、原稿束Ｐを原稿載置台４２０に配置したときこれを検出して、サイドフェンス駆動手段５００が自動的に前記サイドフェンス４１０を移動させて、サイドフェンス４１０で原稿束の一側端部に接触して押圧し、原稿束Ｐの他端をサイドフェンス４１０と反対側の原稿位置規制部４３６に接触させて原稿束Ｐを紙幅方向に揃える。
【００２９】
次にサイドフェンスの駆動について説明する。本例ではサイドフェンス４１０はサイドフェンス駆動手段５００で駆動される。図３はサイドフェンス駆動手段の構成を示す模式図である。本例では、サイドフェンス４１０にはラック５３０が配置されている。また、自動原稿搬送装置４００本体には、モータ５１０で駆動され前記ラック５３０に噛合するピニオン５２０が配置されている。尚、このサイドフェンス駆動手段は前記ラックとピニオンによることなくねじ機構等他の機構で実現することができる。また、モータ５１０は図示していない駆動制御装置によって駆動制御される。この駆動制御装置は、自動原稿搬送装置４００を制御する制御装置の機能の一部とすることができる。
【００３０】
本例では、駆動制御装置には、前記原稿載置台４２０上で原稿束の有無を検知する原稿検知センサ１９が接続されている他、サイドフェンス４１０に原稿束Ｐの側端部の接触状態を検知して原稿束を検出する原稿束検出手段である原稿センサ５４０として圧力検知センサが接続されている。図４は圧力検知センサを備えたサイドフェンスを示すものであり、（a）はサイドフェンスが原稿束と離間した状態を示す模式図、（ｂ）はサイドフェンスが原稿束と接触した状態を示す模式図である。この原稿センサ５４０は、サイドフェンス４１０が原稿束Ｐから離間した状態（図４（ａ））からサイドフェンス４１０がサイドフェンス駆動手段５００で駆動され、サイドフェンス４１０が原稿束Ｐに接触したこと（図４（ｂ））を検出する。
【００３１】
尚、原稿束検出手段として圧力センサを使用した例について説明したが、これは他の手段例えばマイクロスイッチや光学センサとすることができる。図５は光学センサを備えたサイドフェンスを示すものであり、（a）はサイドフェンスが原稿束と離間した状態を示す模式図、（ｂ）はサイドフェンスが原稿束と接触した状態を示す模式図である。本例では、光学センサ５５０は、サイドフェンス４１０に軸５５４で回転可能に支持された接触板５５３に取り付けられたフィラー（邪魔板）５５１と、前記接触板５５３が原稿束Ｐに接触したとき前記フィラー５５１によって光路を遮断さされるフォトインタラプタ５５２とから構成されている。弧の例では、サイドフェンス４１０に原稿束Ｐが接触したときフォトインタラプタ５５２がその旨を検出する。このように、光学センサを使用すれば、原稿の接触検知を正確に判断することでき、原稿の損傷や原稿不揃いを防止することができる。
【００３２】
本例では、制御手段は、サイドフェンス駆動手段の駆動を以下のように制御する。まず初期状態において、サイドフェンス駆動手段５００はサイドフェンス駆動手段５００をその移動範囲において原稿位置規制部４３６から最も離れた位置に移動させている。これにより、オペレータは原稿束Ｐの大きさによらず、原稿束をサイドフェンス４１０に接触させることなく容易に設置することができる。
【００３３】
また、本例では、前記サイドフェンス駆動手段５００は、制御手段の制御により、原稿検知センサ１９が原稿束を検出したとき、前記サイドフェンス４１０を原稿束の紙幅方向の位置を規制するよう駆動される。そして、サイドフェンス４１０が原稿束Ｐの側面に接触したことを原稿センサ５４０で検出して、サイドフェンス４１０の移動を停止する。これらの構成により原稿束Ｐの設置を行うだけで、サイドフェンス４１０は自動的に駆動され、原稿束Ｐを揃えることができ、また、原稿束Ｐを損傷することもない。
【００３４】
そして、本例では、サイドフェンス駆動手段５００は、制御装置の制御により、原稿検知センサ１９が原稿束Ｐを検出しなくなったとき前記サイドフェンス４１０をその移動範囲において反位置規制部材側位置に移動させる。これにより、次の原稿読取に備えることができる。
【００３５】
尚、上記例では、サイドフェンス駆動手段５００の駆動は、稿検知センサの原稿検出で自動的に行うようにしたが、サイドフェンス駆動手段５００の駆動は手動で行うようにしてもよい。この場合、操作パネルなどに操作ボタンを配置し、オペレータの操作によりサイドフェンス駆動手段５００が駆動されるようにする。このようにすると、サイドフェンス駆動手段５００の制御系の構成が簡単なものとなり、コストを低減することができる。このようなサイドフェンス駆動手段５００の手動駆動を行うに際しても、サイドフェンス４１０が原稿束に接触したとき自動停止するようにすることが望ましい。
【００３６】
実施例に係る画像形成装置によれば、サイドフェンスを給紙カバー部材の内側に配置したので、正面から見たとき、サイドフェンスが隠れるような形になり、図６に示すように車椅子Ｗを使用するオペレータＯの原稿設置時における視認性が向上すると共に、原稿を側部から設置でき原稿の設置が容易となる。また、サイドフェンスも自動的に移動させるので、オペレータの手動による操作が減少し操作性が向上する。
【図面の簡単な説明】
【００３７】
【図１】実施例に係る画像形成装置を示す斜視図である。
【図２】実施例に係る自動原稿搬送装置の構成を示す断面図である。
【図３】サイドフェンス駆動手段の構成を示す模式図である。
【図４】圧力検知センサを備えたサイドフェンスを示すものであり、（a）はサイドフェンスが原稿束と離間した状態を示す模式図、（ｂ）はサイドフェンスが原稿束と接触した状態を示す模式図である。
【図５】光学センサを備えたサイドフェンスを示すものであり、（a）はサイドフェンスが原稿束と離間した状態を示す模式図、（ｂ）はサイドフェンスが原稿束と接触した状態を示す模式図である。
【図６】実施例に係る画像形成装置の使用状態を示す模式図である。
【図７】画像形成装置の概略構成を示す斜視図である。
【図８】原稿搬送装置の構成を示す断面図である。
【図９】従来の画像形成装置の使用状態を示す模式図である。
【符号の説明】
【００３８】
２  ストップ爪
３  ピックアップローラ
４  リバースローラ
５  給紙ベルト
６  プルアウトローラ
７  プルアウト従動ローラ
８  読取入口ローラ
９  読取入口従動ローラ
１０  読取出口ローラ
１１  読取出口排紙ローラ
１２  排紙ローラ
１３  排紙下従動ローラ
１５  切替爪
１６  反転ローラ
１７  反転従動ローラ
１８  排紙上従動ローラ
１９  原稿検知センサ
２０，２１，２２  原稿長検出センサ
２６  画像読取手段
２８  原稿読取部
４０  原稿読取部
１００  自動原稿搬送装置（ＡＤＦ）
１１０  サイドフェンス
１２０  原稿載置台
１３５  原稿排紙トレイ
１３６  位置規制部材
１５０  カバー
２００  画像形成装置
２２０  画像読取装置
２２５  画像形成部
２３０  給紙部
２３１、２３２、２３３、２３４  給紙カセット
２３５  原稿排紙トレイ
２４０  排紙部
３００  画像形成装置
４００  自動原稿搬送装置
４１０  サイドフェンス
４２０  原稿載置台
４３６  原稿位置規制部
４５０  給紙カバー部材
５００  サイドフェンス駆動手段
５１０  モータ
５２０  ラック
５３０  ピニオン
５４０  原稿センサ
５５０  光学センサ
５５１  フィラー（邪魔板）
５５２  フォトインタラプタ
５５３  接触板
５５４  軸
【図１】
2010037078.tif 000003
【図２】
2010037078.tif 000004
【図３】
2010037078.tif 000005
【図４】
2010037078.tif 000006
【図５】
2010037078.tif 000007
【図６】
2010037078.tif 000008
【図７】
2010037078.tif 000009
【図８】
2010037078.tif 000010
【図９】
2010037078.tif 000011